(57)【要約】【課題】  ＬＡＮ内において、ＳＩＰ電話機に他のＳＩＰ電話機に対してポイントｔｏマルチポイントの一斉発信操作を実行させるようにする。【解決手段】  ＳＩＰ通信制御装置１において、ＬＡＮインターフェース部１３がセッション開始リクエストを入力すると、それに記述されている着信先ＳＩＰ  ＵＲＩがグループＳＩＰ  ＵＲＩで有るか否かをＳＩＰ終端部１２が判別し、グループＳＩＰ  ＵＲＩで有る場合に、そのグループに対応する電話機ＳＩＰ  ＵＲＩをＳＩＰ終端部１２が読み出し、これらの電話機ＳＩＰ  ＵＲＩを着信先ＳＩＰ  ＵＲＩとしたセッション開始リクエストをＬＡＮインターフェース部１３が送信する。【選択図】図１
2008022380.tif 000002
【特許請求の範囲】
【請求項１】
通信制御プロトコルとしてＳＩＰを用いる複数のＳＩＰ端末が設置されている構内通信網（ＬＡＮ）に接続され、
前記複数のＳＩＰ端末を幾つかのグループに分けてその各グループに付与したグループ識別情報とそのグループに属するＳＩＰ端末のアドレス情報とを対応付けて記憶したグループ情報記憶部と、前記グループ情報記憶部を参照し前記ＳＩＰ端末の１つである発信元端末から受信されたセッション開始リクエストに含まれる宛先情報が前記グループ識別情報で有るか否かを判別する宛先情報判別手段と、前記宛先情報がグループ識別情報であると判別された場合に当該グループ識別情報に対応したＳＩＰ端末のアドレス情報を前記グループ情報記憶部から読み出す着信先特定手段と、この読み出されたアドレス情報全てに対して前記セッション開始リクエストを送信する一斉呼出手段とを備えたことを特徴とする通信制御装置。
【請求項２】
前記請求項１に記載の通信制御装置において、
前記セッション開始リクエストを送信した先のＳＩＰ端末である着信側端末との間で送受信されるＳＩＰメッセージに含まれるタグ情報を前記着信側端末のアドレス情報に対応付けて記憶すると共に前記発信元端末との間で送受信されるＳＩＰメッセージに含まれる前記タグ情報を前記発信元端末のアドレス情報に対応付けて記憶するタグ情報記憶部と、前記ＳＩＰ端末からの前記ＳＩＰメッセージを受信すると前記タグ情報記憶部を参照し当該ＳＩＰメッセージに含まれるタグ情報に基づいて当該ＳＩＰメッセージがどのＳＩＰ端末とのセッション確立に対してのＳＩＰメッセージであるかを認識するメッセージ認識手段とを備えたことを特徴とする通信制御装置。
【請求項３】
前記請求項１又は２に記載の通信制御装置において、
前記着信側端末の１つから前記セッション開始リクエストに対するＯＫメッセージを受信するとこのＯＫメッセージの発信元以外の着信側端末全てのアドレス情報に対して当該セッション開始リクエストを中断するためのキャンセルメッセージを送信する呼出中断手段を備えたことを特徴とする通信制御装置。
【請求項４】
ＳＩＰを用いた通信を行う複数のＳＩＰ端末が構内通信網（ＬＡＮ）に接続されており、これら複数のＳＩＰ端末の１つである発信元端末からセッション開始リクエストを受信するリクエスト受信工程と、
この受信されたセッション開始リクエストに含まれる宛先情報が前記複数のＳＩＰ端末を幾つかに分けたグループのグループ識別情報で有るか否かを判別する宛先情報判別工程と、
前記宛先情報がグループ識別情報であると判別された場合に当該グループ識別情報が示すグループに属するＳＩＰ端末を特定する着信先特定工程と、
この特定されたＳＩＰ端末全てに対して前記セッション開始リクエストを送信する一斉呼出工程とを設けたことを特徴とする通信制御方法。
【請求項５】
前記請求項４に記載の通信制御方法において、
前記前記セッション開始リクエストを送信した先のＳＩＰ端末である着信側端末から当該リクエストに対するレスポンスメッセージを受信するレスポンス受信工程と、
このレスポンスメッセージがどのＳＩＰ端末とのセッション確立に対してのＳＩＰメッセージであるか識別するタグ情報を当該レスポンスメッセージから読み出して前記着信側端末の識別情報に対応付けて記憶するタグ情報記憶工程と、
前記レスポンスメッセージを前記発信元端末に送信するレスポンス送信工程と、
この送信したレスポンスメッセージに含まれるタグ情報を前記発信元端末の識別情報と対応付けて記憶する発信元用タグ情報記憶工程とを設けたことを特徴とする通信制御方法。
【請求項６】
前記請求項４又は５に記載の通信制御方法において、
前記着信側端末の１つから前記セッション開始リクエストに対するＯＫメッセージを受信するとこのＯＫメッセージの発信元以外の着信側端末全てに対して当該セッション開始リクエストを中断するためのキャンセルメッセージを送信する呼出中断工程を設けたことを特徴とする通信制御方法。
【請求項７】
ＳＩＰを用いた通信を行う複数のＳＩＰ端末と構内通信網（ＬＡＮ）を介して接続されたコンピュータに、
前記ＳＩＰ端末の１つである発信元端末からセッション開始リクエストを受信するリクエスト受信処理と、前記複数のＳＩＰ端末を幾つかに分けたグループのグループ識別情報とそのグループに属するＳＩＰ端末のアドレス情報とを対応付けて記憶したグループ情報記憶部を参照し前記受信されたセッション開始リクエストに含まれる宛先情報がグループ識別情報で有るか否かを判別する宛先情報判別処理と、この宛先情報がグループ識別情報であると判別された場合に前記判別されたグループ識別情報に対応したＳＩＰ端末のアドレス情報を前記グループ情報記憶部から読み出す着信先特定処理と、この読み出されたアドレス情報全てに対して前記セッション開始リクエストを送信する一斉呼出処理とを実行させることを特徴とする通信制御用プログラム。
【請求項８】
前記請求項７に記載の通信制御用プログラムにおいて、
前記セッション開始リクエストを送信した先のＳＩＰ端末である着信側端末との間で送受信されるＳＩＰメッセージに含まれるタグ情報を前記着信側端末のアドレス情報に対応付けて記憶すると共に前記発信元端末との間で送受信されるＳＩＰメッセージに含まれる前記タグ情報を前記発信元端末のアドレス情報に対応付けて記憶するタグ情報記憶処理と、受信されたＳＩＰメッセージに含まれるタグ情報に対応するアドレス情報を特定し当該ＳＩＰメッセージがどのＳＩＰ端末とのセッション確立に対してのＳＩＰメッセージであるか認識するメッセージ認識処理とを前記コンピュータに実行させることを特徴とする通信制御用プログラム。
【請求項９】
前記請求項７又は８に記載の通信制御用プログラムにおいて、
前記着信側端末の１つから前記セッション開始リクエストに対してのＯＫメッセージを受信するとこのＯＫメッセージの発信元以外の着信側端末のアドレス情報全てに対して前記セッション開始リクエストを中断するためのキャンセルメッセージを送信する呼出中断処理を前記コンピュータに実行させることを特徴とする通信制御用プログラム。
【発明の詳細な説明】
【技術分野】
【０００１】
本発明は、ＳＩＰ（Ｓｅｓｓｉｏｎ  Ｉｎｉｔｉａｔｉｏｎ  Ｐｒｏｔｏｃｏｌ）に準拠したＳＩＰ端末間の通信を制御する通信制御装置，通信制御方法ならびに通信制御用プログラムに関する。
【背景技術】
【０００２】
ＳＩＰ（Ｓｅｓｓｉｏｎ  Ｉｎｉｔｉａｔｉｏｎ  Ｐｒｏｔｏｃｏｌ）は、ＩＰ（Ｉｎｔｅｒｎｅｔ  Ｐｒｏｔｏｃｏｌ）通信網において、通信に先立ってポイントｔｏポイントでのセッションを確立するためのプロトコルであり、発信元のＳＩＰ電話機は１つの着信先を指定してセッションの確立を要求していた。
【０００３】
このため、従来、ＳＩＰを用いた通信制御装置（以下、ＳＩＰ通信制御装置装置という）では、ＬＡＮ内のＳＩＰ電話機同士のセッションの確立に際しても、発信元のＳＩＰ電話機は１つの着信先を指定してポイントｔｏポイントでのセッションの確立動作を行っていた。すなわち、ＬＡＮ配下のＳＩＰ電話機間の内線通話において複数のＳＩＰ電話機に一斉着信をかけることはできないという不便さがあった。
【０００４】
一方で、従来のＳＩＰ通信制御装置は、ＶｏＩＰ（Ｖｏｉｃｅ  ｏｖｅｒ  ＩＰ）ルーターの機能の一部として、ＷＡＮ（Ｗｉｄｅ  Ａｒｅａ  Ｎｅｔｗｏｒｋ）に接続され、ＷＡＮにあるＳＩＰサーバを中継してセッションの確立を行っている。
【０００５】
このようなＳＩＰ通信制御装置は、ＷＡＮ側からのセッション確立要求があった場合、ＬＡＮ側の複数のＳＩＰ電話機に一斉に着信をかけるようにすることができ、これを利用して、ＬＡＮ内のＳＩＰ電話機からＳＩＰサーバを経由して自身のＷＡＮアドレス宛てにセッション確立要求を発信し、ＬＡＮ内の複数のＳＩＰ電話機に一斉着信をかける方法をとることが考えられる。このような方法を図７を参照して説明する。
【０００６】
図７に示すように、従来のＳＩＰ通信制御装置７０は、ＳＩＰ電話機ａ，〜ｉ，・・・とＷＡＮ網９５とに接続され、ＳＩＰサーバ９０を介してＳＩＰ電話機ａ，〜ｉ，・・・間のセッションの確立を行っている。ＳＩＰ電話機ａがＳＩＰ電話機ｅ，ｆ及びｇに対して一斉着信を行う場合、ＳＩＰ通信制御装置７０のＬＡＮ側に接続されたＳＩＰ電話機ａは、ＷＡＮ網９５を経由してＳＩＰサーバ９０に対して自身のＷＡＮアドレスへのセッション確立要求を発信する。ＳＩＰサーバ９０はこの要求に対して発信元から指定されたＷＡＮアドレス（この場合は発信元自身のＷＡＮアドレスに同じ）に着信をかける。そして、ＳＩＰ通信制御装置７０がＷＡＮ網９５からの着信に対してＳＩＰ電話機ｅ，ｆ，ｇに着信をかけるように予め設定されていることで、結果としてＳＩＰ電話機ａからＳＩＰ電話機ｅ，ｆ及びｇへ一斉着信することができる。
【０００７】
また、複数あるＳＩＰ電話機を予めグループ化しておき、各グループの代表のＳＩＰ電話機のアドレスに対して着信があった場合、そのグループに属する全てのＳＩＰ電話機に着信をかけるようにＳＩＰサーバを設定しておくことで、一斉着信要求を実行できる方法が特許文献１に開示されている。
【０００８】
【特許文献１】特開２００６‐３３５１７号公報
【発明の開示】
【発明が解決しようとする課題】
【０００９】
しかしながら、特許文献１に記載の方法では、グループの代表のＳＩＰ電話機への着信要求があった場合に、必ずグループ全てのＳＩＰ電話機に着信を行い、代表ＳＩＰ電話機だけに着信を行うことができないという不都合があった。また、特許文献１に記載の方法や、図７に示す従来のＳＩＰ通信制御装置では、ＳＩＰサーバを介さなければならず、ＷＡＮを経由することにより通話料金が発生してしまうという不都合があった。また、図７に示す従来のＳＩＰ通信制御装置では、電話事業者によっては、自身のＷＡＮアドレスに対する発信を許可しない者もあり、こういった事業者では上述した方法を採用することができないという不都合があった。
【００１０】
そこで、本発明は、上記従来技術の不都合を改善し、通話料金を発生させることなく、ＬＡＮに接続されたＳＩＰ端末間で一斉着信を可能にする通信制御装置、通信制御方法及び通信制御プログラムを提供することを、その目的とする。
【課題を解決するための手段】
【００１１】
上記目的を達成するため、本発明の通信制御装置は、通信制御プロトコルとしてＳＩＰを用いる複数のＳＩＰ端末が設置されている構内通信網（ＬＡＮ）に接続され、複数のＳＩＰ端末を幾つかのグループに分けてその各グループに付与したグループ識別情報とそのグループに属するＳＩＰ端末のアドレス情報とを対応付けて記憶したグループ情報記憶部と、このグループ情報記憶部を参照しＳＩＰ端末の１つである発信元端末から受信されたセッション開始リクエストに含まれる宛先情報がグループ識別情報で有るか否かを判別する宛先情報判別手段と、宛先情報がグループ識別情報であると判別された場合に当該グループ識別情報に対応したＳＩＰ端末のアドレス情報をグループ情報記憶部から読み出す着信先特定手段と、この読み出されたアドレス情報全てに対してセッション開始リクエストを送信する一斉呼出手段とを備えたことを特徴とする（請求項１）。
【００１２】
このような通信制御装置によれば、グループに属するＳＩＰ端末に対するセッション開始リクエストを受信すると、宛先情報判別手段により、そのグループが特定され、着信先特定手段により、そのグループに属するＳＩＰ端末のアドレス情報が読み出され、一斉呼出手段により、アドレス情報全てに対してセッション開始リクエストが送信される。よって、ＬＡＮに接続されたＳＩＰ端末間での一斉着信を実行させることができる。
【００１３】
また、ＷＡＮを介さずＬＡＮ内においてセッションが確立されるので、通話料金の発生を抑えることができる。
【００１４】
また、上記の通信制御装置において、セッション開始リクエストを送信した先のＳＩＰ端末である着信側端末との間で送受信されるＳＩＰメッセージに含まれるタグ情報を着信側端末のアドレス情報に対応付けて記憶すると共に発信元端末との間で送受信されるＳＩＰメッセージに含まれるタグ情報を発信元端末のアドレス情報に対応付けて記憶するタグ情報記憶部と、ＳＩＰ端末からのＳＩＰメッセージを受信するとタグ情報記憶部を参照し当該ＳＩＰメッセージに含まれるタグ情報に基づいて当該ＳＩＰメッセージがどのＳＩＰ端末とのセッション確立に対してのＳＩＰメッセージであるかを認識するメッセージ認識手段とを備えてもよい（請求項２）。
【００１５】
このようにすると、通信制御装置と各ＳＩＰ端末との間で送受信されるＳＩＰメッセージ内のタグ情報をＳＩＰ端末ごとに個別に管理でき、複数のＳＩＰ端末に対してセッション開始リクエストを送信した場合でも、ＳＩＰメッセージがどの端末とのセッション確立に対してのメッセージかを認識することができる。
【００１６】
また、上記の通信制御装置においては、着信側端末の１つからセッション開始リクエストに対するＯＫメッセージを受信するとこれの他の着信側端末全てのアドレス情報に対してセッション開始リクエストを中断するためのキャンセルメッセージを送信する呼出中断手段を備えてもよい（請求項３）。
【００１７】
このようにすると、一斉着信させたうちの１つの着信先ＳＩＰ端末と発信元ＳＩＰ端末とのセッションが確立されると、呼出中断手段により、他の着信先ＳＩＰ端末との間のリクエストを終了させるので、他のＳＩＰ端末との間で発生する無駄な処理を抑えることができる。
【００１８】
次に、本発明の通信制御方法は、ＳＩＰを用いた通信を行う複数のＳＩＰ端末が構内通信網（ＬＡＮ）に接続されており、これら複数のＳＩＰ端末の１つである発信元端末からセッション開始リクエストを受信するリクエスト受信工程と、この受信されたセッション開始リクエストに含まれる宛先情報が複数のＳＩＰ端末を幾つかに分けたグループのグループ識別情報で有るか否かを判別する宛先情報判別工程と、宛先情報がグループ識別情報であると判別された場合に当該グループ識別情報が示すグループに属するＳＩＰ端末を特定する着信先特定工程と、この特定されたＳＩＰ端末全てに対してセッション開始リクエストを送信する一斉呼出工程とを設けたことを特徴とする（請求項４）。
【００１９】
このような通信制御方法によれば、ＬＡＮに接続されたＳＩＰ端末間での一斉着信をＷＡＮを介さずＬＡＮ内の処理で実行させることができ、通話料金の発生を抑えることができる。
【００２０】
また、上記の通信制御方法においては、セッション開始リクエストを送信した先のＳＩＰ端末である着信側端末から当該リクエストに対するレスポンスメッセージを受信するレスポンス受信工程と、このレスポンスメッセージがどのＳＩＰ端末とのセッション確立に対してのＳＩＰメッセージであるか識別するタグ情報を当該レスポンスメッセージから読み出して着信側端末の識別情報に対応付けて記憶するタグ情報記憶工程と、レスポンスメッセージを発信元端末に送信するレスポンス送信工程と、この送信したレスポンスメッセージに含まれるタグ情報を発信元端末の識別情報と対応付けて記憶する発信元用タグ情報記憶工程とを設けてもよい（請求項５）。
【００２１】
このようにすると、複数のＳＩＰ端末に対してセッション開始リクエストを送信しても、ＳＩＰメッセージがどの端末とのセッション確立に対してのメッセージかを管理することができる。
【００２２】
また、上記の通信制御方法においては、セッション開始リクエストを送信した先のＳＩＰ端末である着信側端末の１つからリクエストに対するＯＫメッセージを受信するとそれの他の着信側端末全てに対してセッション開始リクエストを中断するためのキャンセルメッセージを送信する呼出中断工程を設けてもよい（請求項６）。
【００２３】
このようにすると、一斉着信させたうちの１つの着信先ＳＩＰ端末と発信元ＳＩＰ端末とのセッションが確立されると、他の着信先ＳＩＰ端末との間のリクエストを終了させるので、他の着信先ＳＩＰ端末との間で発生する無駄な処理を抑えることができる。
【００２４】
次に、本発明の通信制御用プログラムは、ＳＩＰを用いた通信を行う複数のＳＩＰ端末と構内通信網（ＬＡＮ）を介して接続されたコンピュータに、ＳＩＰ端末の１つである発信元端末からセッション開始リクエストを受信するリクエスト受信処理と、複数のＳＩＰ端末を幾つかに分けたグループのグループ識別情報とそのグループに属するＳＩＰ端末のアドレス情報とを対応付けて記憶したグループ情報記憶部を参照しセッション開始リクエストに含まれる宛先情報がグループ識別情報で有るか否かを判別する宛先情報判別処理と、この宛先情報がグループ識別情報であると判別された場合にこのグループ識別情報に対応したＳＩＰ端末のアドレス情報をグループ情報記憶部から読み出す着信先特定処理と、この読み出されたアドレス情報全てに対してセッション開始リクエストを送信する一斉呼出処理とを実行させることを特徴とする（請求項７）。
【００２５】
このような通信制御用プログラムによれば、ＬＡＮに接続されたＳＩＰ端末間での一斉着信をＷＡＮを介さずＬＡＮ内の処理で実行させることができ、通話料金の発生を抑えることができる。
【００２６】
また、上記の通信制御用プログラムにおいては、セッション開始リクエストを送信した先のＳＩＰ端末である着信側端末との間で送受信されるＳＩＰメッセージに含まれるタグ情報を着信側端末のアドレス情報に対応付けて記憶すると共に発信元端末との間で送受信されるＳＩＰメッセージに含まれるタグ情報を発信元端末のアドレス情報に対応付けて記憶するタグ情報記憶処理と、受信されたＳＩＰメッセージに含まれるタグ情報に対応するアドレス情報を特定し当該ＳＩＰメッセージがどのＳＩＰ端末とのセッション確立に対してのＳＩＰメッセージであるか認識するメッセージ認識処理とコンピュータに実行させてもよい（請求項８）。
【００２７】
このようにすると、各ＳＩＰ端末との間で送受信されるＳＩＰメッセージ内のタグ情報をＳＩＰ端末ごとに個別に管理でき、複数のＳＩＰ端末に対してセッション開始リクエストを送信した場合でも、ＳＩＰメッセージがどの端末とのセッション確立に対してのメッセージかを認識することができる。
【００２８】
また、上記の通信制御用プログラムにおいては、セッション開始リクエストを送信した先のＳＩＰ端末である着信側端末の１つから当該リクエストに対してのＯＫメッセージを受信するとこのＯＫメッセージの発信元以外の着信側端末のアドレス情報全てに対してセッション開始リクエストを中断するためのキャンセルメッセージを送信する呼出中断処理をコンピュータに実行させてもよい（請求項９）。
【００２９】
このようにすると、一斉着信させたうちの１つの着信先ＳＩＰ端末と発信元ＳＩＰ端末とのセッションが確立されると、他の着信先ＳＩＰ端末との間のリクエストを終了させるので、他の着信先ＳＩＰ端末との間で発生する無駄な処理を抑えることができる。
【発明の効果】
【００３０】
本発明は以上のように構成され機能するため、これにより、ＬＡＮ内において、ＳＩＰ電話機は、予め決められたＳＩＰ電話機のグループに対してポイントｔｏマルチポイントの一斉発信操作を実行することができる。
【発明を実施するための最良の形態】
【００３１】
以下、本発明における一実施形態を、図面を参照して説明する。
【００３２】
＜第１実施形態＞
図１は、本発明に係る第１実施形態の構成を示すブロック図である。
【００３３】
図１に示すように、本第１実施形態は、通信制御プロトコルとしてＳＩＰ（Ｓｅｓｓｉｏｎ  Ｉｎｉｔｉａｔｉｏｎ  Ｐｒｏｔｏｃｏｌ）を用いる複数のＳＩＰ電話機（ＳＩＰ端末）２ａ〜２ｉが設置されているＬＡＮ（構内通信網）とＷＡＮ網３との間にＳＩＰ通信制御装置１が接続されている。
【００３４】
このＳＩＰ通信制御装置１は、複数のＳＩＰ電話機２ａ〜２ｉを幾つかのグループに分けてその各グループに付与したグループ識別情報とそのグループに属するＳＩＰ端末のアドレス情報とを対応付けて記憶したグループ情報記憶部１０と、ＷＡＮインターフェース部１１と、ＳＩＰ電話機２ａ〜２ｉのいずれかから発信されたか又はそのいずれかに宛てられたＳＩＰメッセージの解析及び送受信を実行するＳＩＰ終端部１２と、ＬＡＮインターフェース部１３とを備えて構成されている。
【００３５】
グループ情報記憶部１０は、ＲＯＭ、ＲＡＭ、ハードディスク装置等からなり、グループアドレスリスト１０３及びタグ情報記憶領域１０４を有している。
【００３６】
グループアドレスリスト１０３は、ＳＩＰ電話機のグループに割り当てられた識別情報（アドレス情報）であるグループＳＩＰ  ＵＲＩ（Ｓｅｓｓｉｏｎ  Ｉｎｉｔｉａｔｉｏｎ  Ｐｒｏｔｏｃｏｌ    Ｕｎｉｆｏｒｍ  Ｒｅｓｏｕｒｃｅ  Ｉｄｅｎｔｉｆｉｅｒ）から、このグループに属するＳＩＰ電話機のアドレス情報である電話機ＳＩＰ  ＵＲＩを特定するためのリストであり、図２に示すように、グループＳＩＰ  ＵＲＩと電話機ＳＩＰ  ＵＲＩとが対応付けられて記録されている。
【００３７】
タグ情報記憶領域１０４は、ＳＩＰ端末との間で送受信されるＳＩＰメッセージ内のヘッダ部の“Ｔｏ：”ヘッダに記述されているタグ情報をＳＩＰ端末の電話機ＳＩＰ  ＵＲＩに対応付けて記憶するタグ情報記憶部としての領域である。この“Ｔｏ：”タグ情報は、リクエストメッセージを受信したＳＩＰ電話機から送信されてきたレスポンスメッセージに含まれている。ＳＩＰでは、メッセージ内の“Ｃａｌｌ−ＩＤ”ヘッダと“Ｔｏ：”タグ情報と“Ｆｒｏｍ”タグ情報との組み合わせによって識別する送受信者間の関係をダイアログ（Ｄｉａｌｏｇ）と呼ぶ。ダイアログは、セッション開始リクエスト“ＩＮＶＩＴＥ”に対するレスポンス（２ｘｘ  など）によって確立する。タグ情報は、複数のセッションの確立要求があった場合の各セッションの確立要求を識別するための情報であり、セッションの開始から終了までの間、同じタグ情報を使用する。
【００３８】
ＳＩＰ終端部１２は、ＯＳＩ（Ｏｐｅｎ  Ｓｙｓｔｅｍ  Ｉｎｔｅｒｃｏｎｎｅｃｔｉｏｎ）におけるセッション層（レイヤ５）の機能を実行するものであり、図４に示すように、宛先情報判別手段１２ａ及びセッション確立・停止手段１２ｂを備えている。
【００３９】
ＳＩＰ終端部１２における宛先情報判別手段１２ａは、グループ情報記憶部１０に記憶されているグループアドレスリスト１０３を参照し、入力したリクエストメッセージに記述されている着信先ＳＩＰ  ＵＲＩ（宛先情報）が、グループアドレスリスト１０３に登録されているグループＳＩＰ  ＵＲＩであるか否かを判定する機能を有している。
【００４０】
そして、宛先情報判別手段１２ａは、リクエストメッセージに記述されている着信先ＳＩＰ  ＵＲＩがグループＳＩＰ  ＵＲＩであると判定した場合に、このグループＳＩＰ  
ＵＲＩに対応する電話機ＳＩＰ  ＵＲＩをグループアドレスリスト１０３から読み出してセッション確立・停止手段１２ｂへ出力する着信先特定手段としての機能を有している。
【００４１】
さらに、宛先情報判別手段１２ａは、リクエストメッセージに記述された着信先ＳＩＰ
ＵＲＩがグループアドレスでないと判定した場合に、リクエストメッセージに記述された着信先ＳＩＰ  ＵＲＩをそのまま電話機ＳＩＰ  ＵＲＩとしてセッション確立・停止手段１２ｂへ出力する機能を有している。
【００４２】
ＳＩＰ終端部１２におけるセッション確立・停止手段１２ｂは、宛先情報判別手段１２ａから入力された電話機ＳＩＰ  ＵＲＩを着信先ＳＩＰ  ＵＲＩとしたリクエストメッセージをＬＡＮインターフェース部１３に出力する一斉呼出手段としての機能を有している。
【００４３】
また、セッション確立・停止手段１２ｂは、リクエストメッセージを送信した先のＳＩＰ端末である着信側端末との間で送受信されるＳＩＰメッセージに含まれる“Ｔｏ：”タグ情報を着信側端末の電話機ＳＩＰ  ＵＲＩに対応付けてタグ情報記憶領域１０４に書き込むと共に、リクエストメッセージの発信元端末との間で送受信されるＳＩＰメッセージに含まれる“Ｔｏ：”タグ情報をこの発信元端末の電話機ＳＩＰ  ＵＲＩに対応付けてタグ情報記憶領域１０４に書き込む機能を有する。
【００４４】
また、セッション確立・停止手段１２ｂは、ＳＩＰ端末からのＳＩＰメッセージを受信するとタグ情報記憶部を参照しＳＩＰメッセージに含まれる“Ｔｏ：”タグ情報に基づいてこのＳＩＰメッセージがどのＳＩＰ端末とのセッション確立に対してのＳＩＰメッセージであるかを認識するメッセージ認識手段としての機能を有している。
【００４５】
ここで、セッション確立・停止手段１２ｂは、一斉着信する複数のＳＩＰ電話機それぞれから同じ内容のレスポンスメッセージを受信するが、最初に受信したレスポンスメッセージのみに対応してリクエスト発信元の電話機ＳＩＰ  ＵＲＩを着信先ＳＩＰ  ＵＲＩとしたレスポンスメッセージをＬＡＮインターフェース部１３に出力するように機能する。
【００４６】
また、セッション確立・停止手段１２ｂは、セッション開始リクエストを送信した先のＳＩＰ端末である着信側端末の１つから発せられるＯＫメッセージを受信すると、セッション開始リクエストを中断するためのキャンセルメッセージを他の着信側端末全ての電話機ＳＩＰ  ＵＲＩ（アドレス情報）を着信先ＳＩＰ  ＵＲＩとして付記してＬＡＮインターフェース部１３に出力する呼出中断手段としての機能を有している。
【００４７】
ＬＡＮインターフェース部１３は、主にＯＳＩ参照モデルのレイヤ１（物理層）、レイヤ２（データリンク層）、レイヤ３（ネットワーク層）、レイヤ４（トランスポート層）の機能を有し、ＳＩＰ電話機２ａ〜２ｉとＳＩＰ終端部１２との間でＳＩＰメッセージの送受信を行う機能を有している。
【００４８】
次に、この第１実施形態の全体動作について説明する。ここで、本発明にかかる通信制御方法についても同時に示し説明する。
【００４９】
図５は、ＳＩＰ電話機２ａからＳＩＰ電話機２ｅ，２ｆ，２ｇから成るグループに対してセッション開始リクエストが送信されたときのシステム全体の動作を示すシーケンス図である。
【００５０】
まず、ＳＩＰ電話機２ａから、着信先ＳＩＰ  ＵＲＩとして「ｓｉｐ：０５０１２３４５６８＠ｓａｍｐｌｅ．ｃｏｍ」と記述されたセッション開始リクエスト“ＩＮＶＩＴＥ”が送信される（図４：ステップＳ１）。ＳＩＰ通信制御装置１では、“ＩＮＶＩＴＥ”メッセージがＬＡＮインターフェース１３に受信されると、この“ＩＮＶＩＴＥ”メッセージはＳＩＰ終端部１２へ出力される（リクエスト受信工程）。
【００５１】
ＳＩＰ通信制御装置１のＳＩＰ終端部１２において、宛先情報判別手段１２ａにより、“ＩＮＶＩＴＥ”メッセージの着信先ＳＩＰ  ＵＲＩである「ｓｉｐ：０５０１２３４５６８＠ｓａｍｐｌｅ．ｃｏｍ」が読み出され、この着信先ＳＩＰ  ＵＲＩから、このＳＩＰ  ＵＲＩに割り当てられたグループ識別情報を特定する処理を行う。
【００５２】
すなわち、宛先情報判別手段１２ａは、グループ情報記憶部１０におけるグループアドレスリスト１０３（図２）を参照し、「ｓｉｐ：０５０１２３４５６８＠ｓａｍｐｌｅ．ｃｏｍ」が、グループアドレスであるか否かを判定する（図４：ステップＳ２，宛先情報判別工程）。
【００５３】
ここで、上述したリクエスト受信工程及び宛先情報判別工程については、その内容をプログラム化しリクエスト受信処理及び宛先情報判別処理としてＳＩＰ通信制御装置１を制御するコンピュータに実行させるように構成してもよい。
【００５４】
その後、宛先情報判別手段１２ａにより、“ＩＮＶＩＴＥ”メッセージの着信先ＳＩＰ
ＵＲＩがグループアドレスであると判定されると、この着信先ＳＩＰ  ＵＲＩがグループＳＩＰ  ＵＲＩと特定され、このグループＳＩＰ  ＵＲＩに対応する電話機ＳＩＰ  ＵＲＩである「ｓｉｐ：０５０１２３４５５１＠ｓａｍｐｌ．ｃｏｍ」，「ｓｉｐ：０５０１２３４５５２＠ｓａｍｐｌ．ｃｏｍ」，「ｓｉｐ：０５０１２３４５５３＠ｓａｍｐｌ．ｃｏｍ」がグループアドレスリスト１０３（図２）から読み出される（図４：ステップＳ３，着信先特定工程）。
【００５５】
このときの「ｓｉｐ：０５０１２３４５５１＠ｓａｍｐｌ．ｃｏｍ」，「ｓｉｐ：０５０１２３４５５２＠ｓａｍｐｌ．ｃｏｍ」，「ｓｉｐ：０５０１２３４５５３＠ｓａｍｐｌ．ｃｏｍ」はそれぞれＳＩＰ電話機２ｅ，２ｆ，２ｇに割り当てられたＳＩＰ  ＵＲＩである。
【００５６】
そして、宛先情報判別手段１２ａにより読み出された電話機ＳＩＰ  ＵＲＩの全てがセッション確立・停止手段１２ｂに出力される。
【００５７】
セッション確立・停止手段１２ｂでは、宛先情報判別手段１２ａから電話機ＳＩＰ  ＵＲＩが順次入力されると、その電話機ＳＩＰ  ＵＲＩを着信先ＳＩＰ  ＵＲＩとした”ＩＮＶＩＴＥ”メッセージがＬＡＮインターフェース部１３に出力される。そして、ＬＡＮインターフェース部１３からＳＩＰ電話機２ｅ，２ｆ，２ｇそれぞれに宛てて”ＩＮＶＩＴＥ”メッセージが送信される（図４：ステップＳ４，Ｓ５，Ｓ６，一斉呼出工程）。
【００５８】
ここで、上述した着信先特定工程及び一斉呼出工程については、その内容をプログラム化し着信先特定処理及び一斉呼出処理としてＳＩＰ通信制御装置１を制御するコンピュータに実行させるように構成してもよい。
【００５９】
その後、ＳＩＰ電話機２ｆから送信された呼び出し中であることを示すレスポンスメッセージ“１８０  Ｒｉｎｇｉｎｇ”がＳＩＰ通信制御装置１に受信されると（図４：ステップＳ７，レスポンス受信工程）、ＳＩＰ通信制御装置１のＳＩＰ終端部１２におけるセッション確立・停止手段１２ｂにより、この“１８０  Ｒｉｎｇｉｎｇ”メッセージに記述されている“Ｔｏ：”ヘッダのタグ情報「Ｂ」が読み出され、このタグ情報「Ｂ」がグループ情報記憶部１０のタグ情報記憶領域１０４にＳＩＰ電話機２ｆの電話機ＳＩＰ  ＵＲＩと対応付けて記憶される（タグ情報記憶工程）。ここで、この“１８０  Ｒｉｎｇｉｎｇ”メッセージの着信先ＳＩＰ  ＵＲＩは、ＳＩＰ電話機２ａのＳＩＰ  ＵＲＩ「ｓｉｐ：０５０１２３４５４７＠ｓａｍｐｌ．ｃｏｍ」である。
【００６０】
続いて、ＳＩＰ通信制御装置１のＳＩＰ終端部１２におけるセッション確立・停止手段１２ｂにおいて、グループ情報記憶部１０のタグ情報記憶領域１０４に記憶されていないタグ情報として「α」が“Ｔｏ：”ヘッダに付記された“１８０  Ｒｉｎｇｉｎｇ”メッセージがＬＡＮインターフェース部１３を介してＳＩＰ電話機２ａに送信される（図４：ステップＳ８，レスポンス送信工程）。その後、タグ情報「α」はタグ情報記憶領域１０４にＳＩＰ電話機２ａの電話機ＳＩＰ  ＵＲＩと対応付けて記憶される（発信元用タグ情報記憶工程）。
【００６１】
続いて、ＳＩＰ電話機２ｅ，２ｇからの“１８０  Ｒｉｎｇｉｎｇ”メッセージがＳＩＰ通信制御装置１に順次受信されると（図４：ステップＳ９，Ｓ１０，レスポンス受信工程）、ＳＩＰ通信制御装置１のセッション確立・停止手段１２ｂにより、これらの“１８０  Ｒｉｎｇｉｎｇ”メッセージに記述されている”Ｔｏ：”ヘッダのタグ情報「Ａ」及び「Ｃ」が読み出され、タグ情報「Ａ」とタグ情報「Ｃ」がタグ情報記憶領域１０４にそれぞれＳＩＰ電話機２ｅ，２ｇの電話機ＳＩＰ  ＵＲＩと対応付けて記憶される（タグ情報記憶工程）。このとき、ＳＩＰ電話機２ｅ，２ｇから受信した“１８０  Ｒｉｎｇｉｎｇ”メッセージに対しての“１８０  Ｒｉｎｇｉｎｇ”メッセージはＳＩＰ電話機２ａに送信されない。
【００６２】
ここで、上述したタグ情報記憶工程及び発信元用タグ情報記憶工程については、その内容をプログラム化しタグ情報記憶処理としてＳＩＰ通信制御装置１を制御するコンピュータに実行させるように構成してもよい。
【００６３】
その後、リクエストが正常に処理されたことを示すレスポンスメッセージ“２００  ＯＫ”がＳＩＰ電話機２ｅから送信されＳＩＰ通信制御装置１に受信されると（図４：ステップＳ１１）、ＳＩＰ通信制御装置１のセッション確立・停止手段１２ｂにより、この“２００  ＯＫ”メッセージに記述されている“Ｔｏ：”ヘッダのタグ情報「Ａ」が読み出され、このタグ情報「Ａ」がタグ情報記憶領域１０４に記憶されているか否かが確認される。タグ情報「Ａ」がタグ情報記憶領域１０４に記憶されていることが確認されると、受信された“２００  ＯＫ”メッセージがＳＩＰ電話機２ｅとのセッション確立に際して使用されるものであると確認される。この“２００  ＯＫ”メッセージには、着信先ＳＩＰ
ＵＲＩとしてＳＩＰ電話機２ａのＳＩＰ  ＵＲＩ「ｓｉｐ：０５０１２３４５４７＠ｓａｍｐｌ．ｃｏｍ」が記述されている。
【００６４】
続いて、セッション確立・停止手段１２ｂにより、“２００  ＯＫ”メッセージがＬＡＮインターフェース部１３を介してリクエスト発信元のＳＩＰ電話機２ａに送信される（図４：ステップＳ１２）。この“２００  ＯＫ”メッセージには、“Ｔｏ：”ヘッダのタグ情報として「α」が記述されている。
【００６５】
その後、ＳＩＰ電話機２ｆ，２ｇからの“２００  ＯＫ”メッセージがＳＩＰ通信制御装置１に順次受信されると（図４：ステップＳ１３，Ｓ１４）、ＳＩＰ通信制御装置１のセッション確立・停止手段１２ｂにより、これらの“２００  ＯＫ”メッセージに記述されている“Ｔｏ：”ヘッダのタグ情報「Ｂ」及び「Ｃ」が読み出され、これらのタグ情報「Ｂ」及び「Ｃ」がタグ情報記憶領域１０４に記憶されているかが確認される。これらのタグ情報「Ｂ」及び「Ｃ」がタグ情報記憶領域１０４に記憶されているのが確認されると、受信したこれら“２００  ＯＫ”メッセージがＳＩＰ電話機２ｆ，２ｇとのセッション確立に際して使用されるものであると確認される。このとき、順次入力されたＳＩＰ電話機２ｆ，２ｇからの“２００  ＯＫ”メッセージに対しての“２００  ＯＫ”メッセージはＳＩＰ電話機２ａに送信されない。また、ＳＩＰ電話機２ｆ，２ｇからの“２００  
ＯＫ”メッセージは、それぞれＳＩＰ通信制御装置１に受信されない場合もある。
【００６６】
続いて、ＳＩＰ電話機２ａからの“ＡＣＫ”メッセージがＳＩＰ通信制御装置１に受信されると（図４：ステップＳ１５）、ＳＩＰ通信制御装置１のセッション確立・停止手段１２ｂにより、“ＡＣＫ”メッセージに記述されている“Ｔｏ：”ヘッダのタグ情報「α」が読み出され、このタグ情報「α」がグループ情報記憶部１０におけるタグ情報記憶領域１０４に記憶されているかが確認される。タグ情報「α」がタグ情報記憶領域１０４に記憶されているのが確認されると、受信した”ＡＣＫ”メッセージがＳＩＰ電話機２ａとのセッション確立に際して使用されるものであると確認される。この“ＡＣＫ”メッセージには、着信先ＳＩＰ  ＵＲＩとしてＳＩＰ電話機２ｅのＳＩＰ  ＵＲＩ「ｓｉｐ：０５０１２３４５５１＠ｓａｍｐｌ．ｃｏｍ」が記述されている。
【００６７】
ここで、上述した動作のうち、メッセージに記述されている“Ｔｏ：”ヘッダのタグ情報からこのメッセージがどのＳＩＰ端末とのセッション確立に際して使用されるものであるか確認する動作工程については、その内容をプログラム化しメッセージ認識処理としてＳＩＰ通信制御装置１を制御するコンピュータに実行させるように構成してもよい。
【００６８】
その後、セッション確立・停止手段１２ｂにより、最初に受信した“２００  ＯＫ”メッセージの発信元であるＳＩＰ電話機２ｅに“ＡＣＫ”メッセージがＬＡＮインターフェース部１３を介して送信される（図４：ステップＳ１６）。この“ＡＣＫ”メッセージには、“Ｔｏ：”ヘッダのタグ情報として「Ａ」が記述されている。
【００６９】
これにより、ＳＩＰ電話機２ａとＳＩＰ電話機２ｅとの間でセッションの確立が成立することになり、以後、ＳＩＰ電話機２ａとＳＩＰ電話機２ｅ間は通話状態に移行する（図４：ステップＳ１７）。
【００７０】
その後、セッション確立・停止手段１２ｂにより、ＳＩＰ電話機２ｆ，２ｇに対して、セッションの確立を終了させるための“ＣＡＮＣＥＬ”メッセージが順次送信される（図４：ステップＳ１８，Ｓ１９，呼出中断工程）。そして、ＳＩＰ電話機２ｆ，２ｇのそれぞれから、“ＣＡＮＣＥＬ”メッセージを了解した旨を示す“２００  ＯＫ”メッセージが順次受信され、処理が終了される（図４：ステップＳ２０，Ｓ２１）。
【００７１】
ここで、上述した呼出中断工程については、その内容をプログラム化し呼出中断処理としてＳＩＰ通信制御装置１を制御するコンピュータに実行させるように構成してもよい。
【００７２】
このような第１実施形態によれば、例えば、ＳＩＰ電話機２ａからグループＳＩＰ  ＵＲＩが記述された接続要求が入力されると、グループＳＩＰ  ＵＲＩに対応するＳＩＰ電話機２ｅ，２ｆ，２ｇの電話機ＳＩＰ  ＵＲＩが特定されるので、ＬＡＮに接続されたＳＩＰ電話機２ｅ，２ｆ，２ｇに一斉着信させることができる。
【００７３】
また、この第１実施形態によれば、ＬＡＮ内の処理でＳＩＰ電話機２ａ〜２ｉ同士間のセッションが確立されるので、通話料金の発生を抑えることができる。
【００７４】
また、本第１実施形態によれば、最初に特定された電話機ＳＩＰ  ＵＲＩが割り当てられたＳＩＰ電話機に対してＬＡＮ内においてセッションが確立されると、セッション確立・停止手段１２ｂにより、他のＳＩＰ電話機２との間の着信が停止されるので、他のＳＩＰ電話機との間で発生する応答に要する無駄な処理を抑えることができる。
【００７５】
ここで、ＳＩＰは、セッション確立後（通話状態）での保留、転送が可能であるので、本第１実施形態のＳＩＰ通信制御装置１は、通話中の呼を電話機グループ内の任意のＳＩＰ電話機（最初に応答したＳＩＰ電話機）に転送することも可能である。
【００７６】
＜第２実施形態＞
次に、本発明にかかる第２実施形態について説明する。
【００７７】
第１実施形態においては、ＳＩＰ通信制御装置１のＬＡＮ側に接続する機器がＳＩＰ電話機である場合について示したが、本第２実施形態は、ＳＩＰ電話機を、ＳＩＰ通信アプリケーションソフトウェアを使用したパソコン（以下、ＳＩＰ端末ＰＣ）に置き換えて構成されている。
【００７８】
通常ＰＣは、電子メール用のアプリケーションソフトウェアを使用して各ＰＣ端末同士で電子メールの送受信を実行している。このような場合、ＬＡＮ内にはメールサーバが配置され、このサーバで各ＰＣ端末の電子メールアドレスが管理されている。
【００７９】
ＳＩＰ通信では、各通信装置（ＳＩＰ電話機，パソコン等）を特定するためにＳＩＰ  
ＵＲＩ（ＳＩＰ  Ｕｎｉｆｏｒｍ  Ｒｅｓｏｕｒｃｅ  Ｉｄｅｎｔｉｆｉｅｒ）を使用している。このＳＩＰ  ＵＲＩは、電子メールアドレスと似た形式で表現されており、どちらも各通信装置を特定するという使用目的は同じである。例として、電子メールアドレスの表現方法が「ｕｓｅｒｎａｍｅ＠ｓａｍｐｌｅ．ｃｏｍ」であるのに対して、ＳＩＰ  
ＵＲＩの表現方法は「ｓｉｐ：ｕｓｅｒｎａｍｅ＠ｓａｍｐｌｅ．ｃｏｍ」となっており、「ｕｓｅｒｎａｍｅ＠ｓａｍｐｌｅ．ｃｏｍ」の部分は同じ形式となっている。
【００８０】
また、電子メール通信においては、複数のメールアドレスを１つのグループとしてメールサーバに登録し、情報を同時配信するメーリングリストというシステムがあるので、電子メールアドレスをＳＩＰ  ＵＲＩの一部として使用しＳＩＰ通信を行い、メーリングリストに対して発信を行うことによって、そのメーリングリストに登録されたＳＩＰ端末ＰＣに対して一斉発信動作が行えることになる。
【００８１】
図５は、本発明にかかる第２実施形態の全体構成を示すブロック図である。
【００８２】
図５に示すように、本第２実施形態は、ＳＩＰ通信アプリケーションソフトウェアが導入されている複数のＰＣ４及び各ＰＣ４のメールアドレスを管理する電子メールサーバ５が設置されているＬＡＮ（構内通信網）とＷＡＮ網３との間にＳＩＰ通信制御装置６が接続されている。この通信制御装置６は、グループ情報記憶部６０と、ＷＡＮインターフェース部６１と、ＳＩＰ終端部６２と、ＬＡＮインターフェース部６３とを備えて構成されている。
【００８３】
ＷＡＮインターフェース部６１及びＬＡＮインターフェース部６３は、第１実施形態のＳＩＰ通信制御装置１を構成するものと同一の機能を有している。
【００８４】
グループ情報記憶部６０は、第１実施形態と同様にタグ情報記憶領域６０４を有している。
【００８５】
ＳＩＰ終端部６２は、図１１に示すように、宛先情報判別手段６２ｄ及びセッション確立・停止手段６２ｃを備えている。宛先情報判別手段６２ｄは、あるＰＣ４からのＳＩＰメッセージを入力すると、電子メールサーバ５に管理されているメーリングリスト５１を参照し、ＳＩＰメッセージに記述されている着信先ＳＩＰ  ＵＲＩの一部分と同一の電子メールアドレスがメーリングリスト５１に登録されているか否かを判定する機能を有している。
【００８６】
宛先情報判別手段６２ｄは、着信先ＳＩＰ  ＵＲＩの一部分がメーリングリスト５１に登録されていた場合に、この着信先ＳＩＰ  ＵＲＩをグループＳＩＰ  ＵＲＩと特定し、このグループに属するＰＣの電子メールアドレス、すなわちＰＣＳＩＰ  ＵＲＩの一部である電子メールアドレスをメーリングリスト５１から読み出して、セッション確立・停止部６２ｃに出力する。また一方で、宛先情報判別手段６２ｄは、着信先ＳＩＰ  ＵＲＩがメーリングリスト５１に登録されていない場合には、そのままの着信先ＳＩＰ  ＵＲＩをセッション確立・停止部６２ｃに出力する。
【００８７】
セッション確立・停止部６２ｃは、ＰＣＳＩＰ  ＵＲＩの一部分である電子メールアドレスを基にＰＣＳＩＰ  ＵＲＩを生成し、このＰＣＳＩＰ  ＵＲＩを着信先ＳＩＰ  ＵＲＩとしたＳＩＰメッセージをＰＣ４へ送信する機能を有している。以後、第１実施形態のＳＩＰ通信制御装置１と同様にして、あるＰＣ４とのセッション確立及びセッション確立の終了を行う。
【００８８】
本第２実施形態によれば、第１実施形態と同様、ＳＩＰ通信制御装置１がグループに属するＰＣ４に対するリクエストメッセージを受信すると、リクエストメッセージに示されているグループＳＩＰ  ＵＲＩと対になるＰＣＳＩＰ  ＵＲＩが特定されるので、ＬＡＮに接続されたＰＣ４に一斉着信させることができる。
【００８９】
また、本第２実施形態によれば、第１実施形態と同様、ＬＡＮ内の処理でＰＣ４同士のセッションが確立されるので、通話料金の発生を抑えることができる。
【００９０】
また、本第２実施形態によれば、第１実施形態と同様、最初に特定された宛先情報が割り当てられたＰＣ４に対してセッションが確立されると、セッション確立・停止部１２ｃにより、他のＰＣ４との間のセッションの確立が停止させるので、他のＰＣ４との間で発生する応答に要する無駄な処理を抑えることができる。
【図面の簡単な説明】
【００９１】
【図１】本発明に係る第１実施形態の全体構成を示すブロック図である。
【図２】図１に示す実施形態に開示されたグループアドレスリストを示す図である。
【図３】図１に示す実施形態に開示されたＳＩＰ終端部の構成を示すブロック図である。
【図４】図１に示す実施形態の全体動作を示すシーケンス図である。
【図５】本発明に係る第２実施形態の全体構成を示すブロック図である。
【図６】図５に示す実施形態に開示されたＳＩＰ終端部の構成を示すブロック図である。
【図７】従来の通信制御方法を示す説明図である。
【符号の説明】
【００９２】
１，６  ＳＩＰ通信制御装置
１０，６０  グループ情報記憶部
１０３  グループアドレスリスト
１０４，６０４  タグ情報記憶領域
１１，６１  ＷＡＮインターフェース部
１２，６２  ＳＩＰ終端部
１２ａ，６２ｄ  宛先情報特定手段
１２ｂ，６２ｃ  セッション確立・停止部
１３，６３  ＬＡＮインターフェース部
２ａ〜２ｉ  ＳＩＰ電話機
３  ＷＡＮ網
４  ＰＣ
５  電子メールサーバ
５１  メーリングリスト
７０  ＳＩＰ通信制御装置
８０  ＳＩＰ電話機
９０  ＳＩＰサーバ
９５  ＷＡＮ網
【図１】
2008022380.tif 000003
【図２】
2008022380.tif 000004
【図３】
2008022380.tif 000005
【図４】
2008022380.tif 000006
【図５】
2008022380.tif 000007
【図６】
2008022380.tif 000008
【図７】
2008022380.tif 000009